(57)【特許請求の範囲】
【請求項１】
玄関ポーチへ通じる出入り口を有する玄関土間と、この玄関土間に連なる土間収納室とを備えた玄関部が、この玄関部よりも一段高く設けられた部屋に隣接するように配置された建物において、
前記玄関ポーチと、玄関土間と、土間収納室は一直線上に配置されており、
前記玄関土間と前記部屋との間に出入り口が設けられているとともに、前記土間収納室と前記部屋との間に出入り口が設けられ、
これら二つの出入り口の手前に、前記部屋の床に接続され、かつ前記玄関土間および土間収納室の床よりも上方に配設される式台が玄関部側に張り出すようにして、それぞれ設けられており、
前記玄関土間側の式台と、土間収納室側の式台は、前記玄関ポーチと、玄関土間と、土間収納室の配置方向に沿って一直線上に配置され、かつ、前記玄関土間および土間収納室を形成するとともに互いに対向する壁間にわたって設けられていることを特徴とする建物。
【請求項２】
請求項１に記載の建物において、
前記玄関土間と前記土間収納室との間に出入り口が設けられ、この出入り口には戸が設けられていることを特徴とする建物。
【請求項３】
請求項２に記載の建物において、
前記式台は、前記玄関土間と土間収納室との間に設けられた出入り口に達しない範囲において玄関部側に張り出すとともに、前記部屋の床面とほぼ同じ高さ位置に設けられていることを特徴とする建物。
【請求項４】
請求項１〜３のいずれか一項に記載の建物において、
前記玄関ポーチの床面と、前記玄関土間の床面と、前記土間収納室の床面とは、ほぼ等しい高さ位置になるように設けられていることを特徴とする建物。
【請求項５】
請求項１〜４のいずれか一項に記載の建物において、
前記部屋は、リビング、ダイニングおよびキッチン等を含む共用居住空間であることを特徴とする建物。
【発明の詳細な説明】
【技術分野】
【０００１】
本発明は、玄関ポーチへ通じる出入り口を有する玄関土間と、この玄関土間に連なる土間収納室とを備えた玄関部が、この玄関部よりも一段高く設けられた部屋に隣接するように配置された建物に関する。
【背景技術】
【０００２】
近年、生活の質の向上や多様化に伴い、生活に使用する物品が多種多様化および多数化する傾向にあり、これらの物品を保管、収容する場所として、屋外に物置等が設置されることがある。しかしながら、建物が建てられる敷地の有効利用という観点から、屋外物置等の設置は望ましくない場合があった。
これに対し、建物の内部に押入や納戸、床下収納庫、小屋裏収納部、天井裏収納部等の様々な収納スペースを設けることによって、敷地の有効的な利用を図ることを可能とする技術が種々開発されている。
【０００３】
このような収納スペースを備えた住宅の一例として、特許文献１に記載の技術が挙げられる。この特許文献１に記載の住宅には、玄関土間と居間との間に、玄関土間に連なる土間収納が設けられており、これによって、特に屋外で使用する物品類の収納及び使用を便利に行うことが可能となっている。
【特許文献１】特開２００２−０４７８１３号公報
【発明の開示】
【発明が解決しようとする課題】
【０００４】
ところで、近年における玄関部には、建物の主要な出入り口が形成される玄関ポーチや玄関土間の他に、玄関土間よりも一段高く設けられる玄関ホールや、玄関部と部屋との連絡通路等が設けられる場合が多い。そして、このような玄関部は、例えば、前記玄関ホールを一時的な荷物の置き場や、靴を履く際の腰掛けとして使用したり、前記連絡通路に壁を設けて部屋の目隠しとしたり等、使い勝手の良い構成となっている。
【０００５】
ところが、このような玄関部に、上記特許文献１に記載のような土間収納等の収納空間を設ける際は、比較的小さな収納空間しか設けることができないという問題があった。
すなわち、玄関部に比較的大きな収納空間を設けるには、その分のスペースを確保するために部屋や庭のスペースを縮小したり、玄関ポーチや玄関土間、玄関ホール、連絡通路のためのスペースを縮小したりする必要があったためである。
【０００６】
しかしながら、一方では部屋や庭は出来る限り広々と構成したいという要望が強く、玄関部に大きな収納空間を設けたいという要望と両立させることが難しかった。
そこで、玄関部全体のスペースを有効的に利用して、この玄関部に比較的大きな収納空間（以下、土間収納室）を設けることが可能な技術の開発が強く望まれていた。
【０００７】
本発明の課題は、比較的大きな土間収納室を備えるとともに、使い勝手の良い玄関部が設けられた建物を提供することを目的とする。
【課題を解決するための手段】
【０００８】
請求項１に記載の発明は、例えば図１に示すように、玄関ポーチ２へ通じる出入り口２ａを有する玄関土間３と、この玄関土間３に連なる土間収納室４とを備えた玄関部１が、この玄関部１よりも一段高く設けられた部屋５に隣接するように配置された建物Ａにおいて、
前記玄関ポーチ２と、玄関土間３と、土間収納室４は一直線上に配置されており、
前記玄関土間３と前記部屋５との間に出入り口３ａが設けられているとともに、前記土間収納室４と前記部屋５との間に出入り口４ａが設けられ、
これら二つの出入り口３ａ、４ａの手前に、前記部屋５の床５ａに接続され、かつ前記玄関土間３および土間収納室４の床３ｂ、４ｂよりも上方に配設される式台６、７が玄関部側に張り出すようにして、それぞれ設けられており、
前記玄関土間３側の式台６と、土間収納室４側の式台７は、前記玄関ポーチ２と、玄関土間３と、土間収納室４の配置方向に沿って一直線上に配置され、かつ、前記玄関土間３および土間収納室４を形成するとともに互いに対向する壁間にわたって設けられていることを特徴とする。
【０００９】
請求項１に記載の発明によれば、前記玄関部１を前記部屋５に隣接するように配置するとともに、前記玄関土間３および前記土間収納室４に、前記部屋５へと通じる出入り口３ａ、４ａをそれぞれ設けるので、従来とは異なり、玄関ホールや、玄関と部屋との連絡通路等を設ける必要がなくなる。これによって、その分のスペースを、前記土間収納室４を設けるためのスペースとして利用することができ、この土間収納室４を比較的大きく形成することが可能となる。
また、前記玄関土間３および前記土間収納室４に、前記部屋５へと通じる出入り口３ａ、４ａをそれぞれ設けるので、前記玄関部１と部屋５との行き来がしやすくなり、これによって、物品の搬入および搬出もしやすく、使い勝手が良い。
その上、前記二つの出入り口３ａ、４ａの手前に、前記部屋５の床５ａに接続され、かつ前記玄関土間３および土間収納室４の床３ｂ、４ｂよりも上方に配設される前記式台６、７を玄関部側に張り出すようにして設けることで、前記式台６、７が前記玄関部１と部屋５との間における玄関ホールのような境界領域となるので、使い勝手が良い。すなわち、前記玄関部１から部屋５へと進む際の踏み台にしたり、買い物をしてきた物品や収納すべき物品の一時的な置き場にしたり、来客の腰掛け用にしたり、靴を履くときの腰掛け用にしたり等、様々な用途に適応することが可能となる。
【００１０】
請求項２に記載の発明は、例えば図１に示すように、請求項１に記載の建物Ａにおいて、
前記玄関土間３と前記土間収納室４との間に出入り口８が設けられ、この出入り口８には戸８ａが設けられていることを特徴とする。
【００１１】
請求項２に記載の発明によれば、前記玄関土間３と前記土間収納室４との間に出入り口８が設けられることによって、前記玄関土間３と土間収納室４とを行き来することができるので、収納すべき物品の搬入および搬出がしやすく、使い勝手が良い。
しかも、この出入り口８に戸８ａを設けることによって、前記玄関土間３から前記土間収納室４の中が見えないように遮蔽することができるので、前記玄関部１の見映えが良くなる。
【００１２】
請求項３に記載の発明は、例えば図１に示すように、請求項２に記載の建物Ａにおいて、
前記式台６、７は、前記玄関土間３と土間収納室４との間に設けられた出入り口８に達しない範囲において玄関部１側に張り出すとともに、前記部屋５の床面５ａとほぼ同じ高さ位置に設けられていることを特徴とする。
【００１３】
請求項３に記載の発明によれば、前記式台６、７が、前記出入り口８に達しない範囲において張り出しているので、前記玄関土間３と土間収納室４との間を前記式台６、７に妨げられずに行き来することができる。
しかも、前記式台６、７のためのスペースを、前記玄関土間３と土間収納室４との行き来が可能な範囲で、できるだけ広く取ることができるので、前記式台６、７上を有効的に使うことができ、使い勝手が良い。
【００１４】
請求項４に記載の発明は、例えば図１に示すように、請求項１〜３のいずれか一項に記載の建物Ａにおいて、
前記玄関ポーチ２の床面２ｂと、前記玄関土間３の床面３ｂと、前記土間収納室４の床面４ｂとは、ほぼ等しい高さ位置になるように設けられていることを特徴とする。
【００１５】
請求項４に記載の発明によれば、前記玄関ポーチ２の床面２ｂと、前記玄関土間３の床面３ｂと、前記土間収納室４の床面４ｂとを、ほぼ等しい高さ位置になるように設けるので、収納すべき物品を持ったまま、ほぼ等しい高さ位置の床面２ｂ、３ｂ、４ｂを移動するだけで済み、例えば比較的重量な物品等でも収納しやすく、使い勝手が良い。
【００１６】
請求項５に記載の発明は、例えば図１に示すように、請求項１〜４のいずれか一項に記載の建物Ａにおいて、
前記部屋５は、リビング５ｂ、ダイニング５ｃおよびキッチン５ｄ等を含む共用居住空間であることを特徴とする。
【００１７】
請求項５に記載の発明によれば、例えば、前記玄関部１から２階Ａ２へと行き来する場合には、前記共用居住空間を必ず通過することになるので、居住者どうしのコミュニケーションの機会を容易に得ることができるので好ましい。
【発明の効果】
【００１８】
本発明によれば、前記玄関部を前記部屋に隣接するように配置するとともに、前記玄関土間および前記土間収納室に、前記部屋へと通じる出入り口をそれぞれ設けるので、従来とは異なり、玄関ホールや、玄関と部屋との連絡通路等を設ける必要がなくなる。これによって、その分のスペースを、前記土間収納室を設けるためのスペースとして利用することができ、この土間収納室を比較的大きく形成することが可能となる。
また、前記玄関土間および前記土間収納室に、前記部屋へと通じる出入り口をそれぞれ設けるので、前記玄関部と部屋との行き来がしやすくなり、これによって、物品の搬入および搬出もしやすく、使い勝手が良い。
その上、前記二つの出入り口の手前に、前記部屋の床に接続され、かつ前記玄関土間および土間収納室の床よりも上方に配設される前記式台を玄関部側に張り出すようにして設けることで、前記式台が前記玄関部と部屋との間における玄関ホールのような境界領域となるので、様々な用途に適応することが可能となり、使い勝手が良い。
【発明を実施するための最良の形態】
【００１９】
以下、図面を参照して本発明に係る建物Ａの実施の形態について説明する。
なお、本実施の形態の建物Ａは、壁や床、屋根といった建物の構成要素を予め工場にてパネル化しておき、施工現場でこれらのパネルを組み立てて構築するパネル工法で構築されるが、従来の軸組工法や壁式工法の木造、鉄骨造、鉄筋コンクリート造等の建物にも適用することができる。
【００２０】
本実施の形態の建物Ａは、図１に示すように、玄関ポーチ２へ通じる出入り口２ａを有する玄関土間３と、この玄関土間３に連なる土間収納室４とを備えた玄関部１が、この玄関部１よりも一段高く設けられた部屋５に隣接するように配置されたものであり、
前記玄関土間３と前記部屋５との間に出入り口３ａが設けられているとともに、前記土間収納室４と前記部屋５との間に出入り口４ａが設けられ、
これら二つの出入り口３ａ、４ａの手前に、前記部屋５の床５ａに接続され、かつ前記玄関土間３および土間収納室４の床３ｂ、４ｂよりも上方に配設される式台６、７が玄関部側に張り出すようにして、それぞれ設けられている。
【００２１】
なお、本実施の形態の建物Ａは、図１および図２に示すように、１階部分Ａ１と２階部分Ａ２とからなる２階建ての建物Ａとなっており、前記共用居住空間である部屋５とは別に、複数の部屋を備えている。
【００２２】
ここで、前記玄関部１は、上述のように、玄関ポーチ２へ通じる出入り口２ａを有する玄関土間３と、この玄関土間３に連なる土間収納室４とを備えており、この玄関部１よりも一段高く設けられた部屋５に隣接するように配置されている。
【００２３】
前記玄関ポーチ２は、前記玄関土間３に隣接して配置されているとともに、壁を挟んで前記部屋５にも隣接して配置されている。
なお、この玄関ポーチ２は多雪地域と、そうでない地域とで構造に若干の違いがある。すなわち、多雪地域ではない場合の玄関ポーチ２は、図３に示すように、屋根９で覆われない部分があるが、多雪地域の場合、図４に示すように、玄関ポーチ２の隅に柱１０ａが設けられて、この柱１０ａによって支持される屋根１０が前記玄関ポーチ２を完全に覆うようになっている。
【００２４】
前記玄関土間３は、上述のように、玄関ポーチ２へ通じる出入り口２ａを有しており、前記部屋５よりも一段低く設けられている。なお、前記出入り口２ａには戸２ｃが設けられている。
また、図１に示すように、この玄関土間３を形成する壁際に沿って収納棚１１が設けられている。なお、この収納棚１１は図１に示すように、前記玄関ポーチ２へ通じる出入り口２ａに達しない範囲の奥行き寸法を備えたものが好ましい。すなわち、外部から前記玄関土間３へと進む際に、前記収納棚１１が前記出入り口２ａからはみ出して見えていると見映えが悪いだけではなく、比較的大きな物品を搬入する際にもこの収納棚１１が妨げとなってしまうためである。
【００２５】
前記土間収納室４は、上述のように前記玄関土間３に連なって設けられおり、前記部屋５よりも一段低く設けられている。
また、図１に示すように、この土間収納室４を形成する壁には、前記玄関土間３と土間収納室４との間に設けられる出入り口８（後述する）に対向して勝手口１２が設けられている。このように勝手口１２を設けることによって、前記部屋５から玄関土間３を通過し玄関ポーチ２へと出るよりも早く、前記部屋５から外部へと出ることができるようになっている。
【００２６】
また、前記土間収納室４には、例えば、外部から直接搬入する自転車やバイクや、冷暗所等にて保存することが適切な食品類、長期間使用しないもの等、様々な物品を収納することができるようになっている。その他にも、この土間収納室４を、飼い犬の飼育スペースとして使用することもできるようになっており、居住者の生活様式に合わせて様々な用途に適応することができる多目的な空間となっている。
【００２７】
さらに、上述したように、前記玄関土間３と前記部屋５との間に出入り口３ａが設けられているとともに、前記土間収納室４と前記部屋５との間に出入り口４ａが設けられている。なお、これら出入り口３ａ、４ａには、図１に示すように、それぞれに戸３ｃ、４ｃを設けておくのが望ましい。すなわち、冬期に冷たい空気の浸入を防いだり、来客時などに部屋５の内部が見られないようにしたり等のためである。
【００２８】
そして、前記玄関土間３と前記土間収納室４との間には上述した出入り口８が設けられている。これによって、前記玄関土間３と土間収納室４とを行き来することができるので、収納すべき物品の搬入および搬出がしやすく、使い勝手が良い。
しかも、この出入り口８には戸８ａが設けられており、これによって、前記玄関土間３から前記土間収納室４の中が見えないように遮蔽することができるので、玄関部１の見映えが良くなる。また、来客時などは、戸８ａが設けられていることによって土間収納室４の内部が見られないようになっているので、プライバシーの保護にもつながる。
【００２９】
一方、前記玄関ポーチ２、玄関土間３および土間収納室４は、本実施の形態においては一直線上に配置されている。
また、前記玄関ポーチ２の床面２ｂと、前記玄関土間３の床面３ｂと、前記土間収納室４の床面４ｂとは、ほぼ等しい高さ位置になるように設けられている。これによって、収納すべき物品を持ったまま、ほぼ等しい高さ位置の床面２ｂ、３ｂ、４ｂを移動するだけで済み、例えば比較的重量な物品等でも収納しやすく、使い勝手が良い。
【００３０】
前記部屋５は、前記玄関部１に隣接するとともに、玄関部１よりも一段高く設けられており、図１に示すように、リビング５ｂ、ダイニング５ｃおよびキッチン５ｄ等を含む共用居住空間となっている。
前記玄関土間３の出入り口３ａは、前記リビング５ｂ、ダイニング５ｃに通じるようになっており、前記土間収納室４の出入り口４ａは前記キッチン５ｄに通じるようになっている。また、前記キッチン５ｄからは、前記土間収納室４を通過して、前記勝手口１２よりすぐに外部へと出ることができるようになっているので、使い勝手が良い。
【００３１】
このように、前記部屋５を共用居住空間とすることによって、例えば、前記玄関部１から２階Ａ２へと行き来する場合には、前記共用居住空間を必ず通過することになるので、居住者どうしのコミュニケーションの機会を容易に得ることが可能となる。
【００３２】
前記式台６、７は、前記玄関土間３および土間収納室４と、前記部屋５との間に設けられた二つの出入り口３ａ、４ａの手前において前記部屋５の床５ａに接続され、かつ前記玄関土間３および土間収納室４の床３ｂ、４ｂよりも上方に配設されて、玄関部側に張り出すようにして設けられている。
このような式台６、７は、前記玄関部１と部屋５との間における玄関ホールのような境界領域となるので、例えば、買い物をしてきた物品や収納すべき物品の一時的な置き場にしたり、来客の腰掛け用にしたり、靴を履くときの腰掛け用にしたり等、様々な用途に適応することが可能となり、使い勝手が良い。
【００３３】
また、この式台６、７は、前記玄関土間３と土間収納室４との間に設けられた出入り口８に達しない範囲において玄関部側に張り出しており、前記玄関土間３と土間収納室４との間をこの式台６、７に妨げられずに行き来することができるようになっている。
しかも、前記式台６、７のためのスペースを、前記玄関土間３と土間収納室４との行き来が可能な範囲で、できるだけ広く取ることができるので、前記式台６、７上を有効的に使うことができ、使い勝手が良い。
【００３４】
なお、前記式台６、７を設置する際の高さ位置は、前記部屋５の床面５ａとほぼ同じ高さにする。
【００３５】
一方、上述したように、本実施の形態の建物Ａは２階建てとなっており、１階部分Ａ１には、図１に示すように、前記部屋５に隣接して浴室１３ａ、洗面所、トイレ１３ｃからなる水回り室１３および和室１４、階段１５とが設けられており、この階段１５は、２階部分Ａ２へとつながっている。
２階部分Ａ２には、図２に示すように、階段１５を上がった傍に２階用トイレ１６が設けられており、階段ホール１７を中心に三つの部屋１８、１９、２０が設けられている。
これら三つの部屋１８、１９、２０のうち、第１の部屋１８は、前記玄関部１上方に設けられる収納室２１に隣接して設けられており、第２および第３の部屋１９、２０は、バルコニ２２が外部に設けられている。
【００３６】
なお、本実施の形態の建物Ａの間取りは以上のように構成されているが、これに限られるものではなく、本発明の趣旨を逸脱しない範囲で適宜変更可能であることは言うまでもない。
【００３７】
以上のように、本実施の形態によれば、前記玄関部１を前記部屋５に隣接するように配置するとともに、前記玄関土間３および前記土間収納室４に、前記部屋５へと通じる出入り口３ａ、４ａをそれぞれ設けるので、従来とは異なり、玄関ホールや、玄関と部屋との連絡通路等を設ける必要がなくなる。これによって、その分のスペースを、前記土間収納室４を設けるためのスペースとして利用することができ、この土間収納室４を比較的大きく形成することが可能となる。
また、前記玄関土間３および前記土間収納室４に、前記部屋５へと通じる出入り口３ａ、４ａをそれぞれ設けるので、前記玄関部１と部屋５との行き来がしやすくなり、これによって、物品の搬入および搬出もしやすく、使い勝手が良い。
その上、前記二つの出入り口３ａ、４ａの手前に、前記部屋５の床５ａに接続され、かつ前記玄関土間３および土間収納室４の床３ｂ、４ｂよりも上方に配設される前記式台６、７を玄関部側に張り出すようにして設けることで、前記式台６、７が前記玄関部１と部屋５との間における玄関ホールのような境界領域となるので、様々な用途に適応することが可能となり、使い勝手が良い。
【図面の簡単な説明】
【００３８】
【図１】本発明の建物の１階部分を示す平面図である。
【図２】本発明の建物の２階部分を示す平面図である。
【図３】多雪地域ではない場合の建物の外観を示す側面図である。
【図４】多雪地域における建物の外観を示す側面図である。
【符号の説明】
【００３９】
Ａ  建物 
１  玄関部
２  玄関ポーチ
３  玄関土間
４  土間収納室
５  部屋
６  式台
７  式台
【図１】
0004824982.tif 000002
【図２】
0004824982.tif 000003
【図３】
0004824982.tif 000004
【図４】
0004824982.tif 000005